(57)【要約】【課題】装置全体が小型化されても、操作が簡単かつ確実に、間違いなく行なうことができるようにする。【解決手段】上ケース２に液晶画面６と選択ボタン７とが設けられ、調整ホイール５が上ケース５の周りを移動できる(ａ−i）。液晶画面６でメインメニュー２３が表示され（ｂ−i）、調整ホイール５を上ケース２の周りを矢印Ｐ方向に回動操作すると（ａ−ii）、メインメニュー２３からカーソル２４で所定のメニューを選択できる（ｂ−ii）。そして、選択ボタン７でメインメニューの選択を決定でき（ａ−iii）、このメインメニューのサブメニュー２５が表示される（ｂ−iii）。そこで、調整ホイール５を回転操作すると（ａ−iv）、サブメニュー２５からカーソル２６で所定のサブメニューを選択でき（ｂ−iv）、選択ボタン７を操作すると（ａ−v）、このサブメニューが実行される（ｂ−v）。【選択図】図１３
2006099618.tif 000002
【特許請求の範囲】
【請求項１】
筐体に、表示部と、該表示部に表示される画面の操作機能を備えた操作部とを設け、
該操作部は該筐体の周りを移動可能であって、該操作部の該筐体に対する位置が該表示部に表示される画面に対する操作内容に対応することを特徴とするダイヤル型操作デバイス。
【請求項２】
メニューの配列を表わすメニュー画面が表示される表示部と、
該表示部に表示される第１階層のメニューの配列から所望とするメニューを選択するための第１の操作部と、
該第１の操作部の操作によって選択された該第１階層のメニューに対して該表示部に表示される第２階層のメニューの配列から所望とするメニューを選択するための第２の操作部と
が筐体に設けられ、
該第１の操作部は、該筐体の周りを移動することにより、該第１階層のメニューの配列から所望とするメニューを選択する操作がなされるものであって、該第１の操作部の該筐体に対する位置が、該表示部での該第１階層のメニューの配列での選択されたメニューの表示位置に対応することを特徴とするダイヤル型操作デバイス。
【請求項３】
請求項２において、
前記第２階層のメニューの配列は、前記第１の操作部による前記第１階層のメニューの配列からのメニューの選択に伴って、前記第２の操作部によって選択操作可能に、前記表示部に表示されることを特徴とするダイヤル型操作デバイス。
【請求項４】
筐体に、表示部と、可動操作がなされる第１の操作部と、該第１の操作部の可動操作に伴って該筐体の周りを移動する第２の操作部とを設け、
該第２の操作部は、該表示部に表示される画面をスクロール操作する機能を備え、
該第１の操作部の可動操作による該第２の操作部の該筐体に対する位置に応じて、該第２の操作部の操作による該表示部での該画面のスクロール方向が異なることを特徴とするダイヤル型操作デバイス。
【請求項５】
請求項４において、
前記第２の操作部が前記筐体の右側真横の第１の位置にあるとき、前記第２の操作部の操作により、前記表示部に表示される画面は左右にスクロールし、
前記第２の操作部が前記筐体の真下の第２の位置にあるとき、前記第２の操作部の操作により、前記表示部に表示される画面は上下にスクロールし、
前記第２の操作部が前記筐体の周りの該第１の位置と該第２の位置との間の第３の位置にあるとき、前記第２の操作部の操作により、前記表示部に表示される画面はズーミング表示することを特徴とするダイヤル型操作デバイス。
【発明の詳細な説明】
【技術分野】
【０００１】
本発明は、ダイヤル操作によって表示画面に表示される画面を操作することができるようにしたダイヤル型操作デバイスに関する。
【背景技術】
【０００２】
筐体に液晶画面を設け、この液晶画面に表示されるメニューを選択操作することにより、所望とするコンテンツを検索して表示させるようにした携帯端末が提案されているが、その一例として、携帯電話のディスプレイ部に複数の上位階層のメニューをアイコンで表示し、操作部を操作して希望する１つのアイコンを選択すると、選択されたアイコンに対する下位階層のアイコンが表示され、この操作部を操作することにより、この下位階層のアイコンの１つを選択できるようにした技術が知られている（例えば、特許文献１参照）。
【０００３】
この特許文献１に記載の技術では、このディスプレイ部において、複数の上位階層のアイコンが円形状の軌道に配列されて表示され、この軌道上の所定の位置に選択エリアが設けられている。そして、この選択エリア内にある上位階層のアイコンが選択されたアイコンであり、選択されたアイコンはこの表示エリア内で拡大表示される。また、この円軌道の内側では、この表示エリアに接してこの選択されたアイコンの下位階層のアイコンを表示する下位階層表示エリアが設けられる。
【０００４】
携帯電話のポインティング部の回転操作部で回転操作を行なうと、ディスプレイ部では、この回転操作に伴って複数の上位階層のアイコンの配列が上記の円軌道に沿って移動し、これにより、上記の表示エリア内に入るアイコン、即ち、選択されるアイコンを偏向することができる。また、この表示エリアには、必ず１つの上位階層のアイコンが含まれて選択されており、この選択されているアイコンの下位階層のアイコンが下位階層表示エリアに表示されているが、上記ポインティング部でのカーソル移動キーを操作することにより、いずれか１つの下位階層のアイコンを選択することができる。この選択された下位階層のアイコンは、ポインティング部の決定キーを操作することにより、選択された下位階層のアイコンを実行させることができる。
【特許文献１】特開２００３ー３３０５８７
【発明の開示】
【発明が解決しようとする課題】
【０００５】
ところで、上記特許文献１に記載の技術は、画面操作を行なうためのポインティング部は携帯機器の筐体に設定される操作部の一部に設けられているものであるから、形状が小さいものである。しかも、携帯機器は小型化すれば、携帯し易くなるものであるが、ポインティング部はさらに小さなものとなり、操作がしにくくなるし、操作が間違いやすくなる。
【０００６】
本発明の目的は、かかる問題を解消し、装置全体が小型化されても、操作が簡単かつ確実に、間違いなく行なうことができるようにしたダイヤル型操作デバイスを提供することにある。
【課題を解決するための手段】
【０００７】
上記目的を達成するために、本発明は、筐体に、表示部と、表示部に表示される画面の操作機能を備えた操作部とを設け、操作部は筐体の周りを移動可能であって、操作部の筐体に対する位置が表示部に表示される画面に対する操作内容に対応するものである。
【０００８】
また、本発明は、メニューの配列を表わすメニュー画面が表示される表示部と、表示部に表示される第１階層のメニューの配列から所望とするメニューを選択するための第１の操作部と、第１の操作部の操作によって選択された第１階層のメニューに対して表示部に表示される第２階層のメニューの配列から所望とするメニューを選択するための第２の操作部とが筐体に設けられ、第１の操作部は、筐体の周りを移動することにより、第１階層のメニューの配列から所望とするメニューを選択する操作がなされるものであって、第１の操作部の筐体に対する位置が、表示部での第１階層のメニューの配列での選択されたメニューの表示位置に対応するものである。
【０００９】
そして、第２階層のメニューの配列は、第１の操作部による第１階層のメニューの配列からのメニューの選択に伴って、第２の操作部によって選択操作可能に、表示部に表示されるものである。
【００１０】
また、本発明は、筐体に、表示部と、可動操作がなされる第１の操作部と、第１の操作部の可動操作に伴って筐体の周りを移動する第２の操作部とを設け、第２の操作部は、表示部に表示される画面をスクロール操作する機能を備え、第１の操作部の可動操作による第２の操作部の筐体に対する位置に応じて、第２の操作部の操作による表示部での画面のスクロール方向が異なるものである。
【００１１】
そして、第２の操作部が筐体の右側真横の第１の位置にあるとき、第２の操作部の操作により、表示部に表示される画面は左右にスクロールし、第２の操作部が筐体の真下の第２の位置にあるとき、第２の操作部の操作により、表示部に表示される画面は上下にスクロールし、第２の操作部が筐体の周りの第１の位置と第２の位置との間の第３の位置にあるとき、第２の操作部の操作により、表示部に表示される画面はズーミング表示するものである。
【発明の効果】
【００１２】
本発明によると、操作部をデバイスの筐体の周りを移動させるようにして画面操作を行なう構成としたものであるから、装置全体、即ち、この筐体が小型化されても、画面操作が簡単かつ確実に、間違いなく行なうことを可能とする。
【発明を実施するための最良の形態】
【００１３】
以下、本発明の実施形態を図面により説明する。  
図１は本発明によるダイヤル型操作デバイスの第１の実施形態を示す図であって、同図（ａ）はその全体構成を示す外観斜視図、同図（ｂ）はその側面図であり、１は筐体、２は上ケース、３は下ケース、４は機能選択ダイヤル、５は調整ホイール、６は液晶画面、７は選択ボタンである。
【００１４】
図１（ａ），（ｂ）において、上ケース２と、下ケース３と、これら上ケース２と下ケース３との間に配置されて中ケースをなす機能選択ダイヤル４とが組み合わされて、この第１の実施形態をなすほぼ円盤形状の筐体１を形成している。
【００１５】
上ケース２の上面には、表示部としての映像を表示する液晶画面６や操作の決定を行なうための選択ボタン７が設けられている。また、機能選択ダイヤル４は、上ケース２と下ケース３との間で、かつ、矢印Ｐで示すこれら上ケース２と下ケース３との外縁に沿う方向に（即ち、上ケース２と下ケース３との中心軸を中心に）回転可能に取り付けられており、また、この機能選択ダイヤル４には、その外面に取り付けられるようにして、調整ホイール５が設けられている。この調整ホイール５は、機能選択ダイヤル４の回転とともに、筐体１の周りを矢印Ｐで示す方向に移動（回動）し、また、矢印Ｑで示すように、機能選択ダイヤル４の外面の接線に平行な軸を中心に回転可能である。
【００１６】
そこで、ユーザが一方の手で下ケース３を支え、他方の手で調整ホイール５をつまむなどして機能選択ダイヤル４を筐体１の周りを回動させることにより、あるいはまた、例えば、右手の手の平で下ケース３を支え、この右手の親指などで調整ホイール５を押したり、引いたりして機能選択ダイヤル４を回動させることにより、この調整ホイール５を筐体１の外縁の任意の位置に位置付けることができる。そして、その位置で調整ホイール５を矢印Ｑで示す方向に回転させることができる。
【００１７】
調整ホイール５は、それを回転操作することにより、液晶画面６に表示される映像（図示せず）を変化させてそれを調整可能とする機能を備えているが、機能選択ダイヤル４は、それを回転操作することにより、調整ホイール５が有する機能を切り替えることができるようにしている。即ち、機能選択ダイヤル４は、また、調整ホイール５の筐体１の周りを回動することによる操作機能は、第１の操作部をなしており、調整ホイール５の回転による操作機能は、第２の操作部をなしている。
【００１８】
図２は図１に示す第１の実施形態の分解斜視図、図３は同じく縦断面図であって、８は保持部材、９は基台、１０はロータリエンコーダ、１１は基台、１２はロータリエンコーダであり、図１に対応する部分には同一符号を付けて重複する説明を省略する。
【００１９】
図２及び図３において、機能選択ダイヤル４はその半径が上ケース２や下ケース３の半径とほぼ等しいリング状をなしており、この機能選択ダイヤル４の内側からこの機能選択ダイヤル４に剛体からなるアーム状の保持部材８の一端が固定されている。また、上ケース２の内面中央部に基台１１が設けられ、また、この基台１１に対向するようにして、下ケース３の内面中央部に基台９が設けられており、これら基台９，１１が図示しないシャフトで連結されている。これら基台９，１１に接するようにして、かつこのシャフトに回転可能にロータリエンコーダ１０が設けられている。そして、このロータリエンコーダ１０の外面に上記の保持部材８の他の端部が固定されている。
【００２０】
かかる構成により、機能選択ダイヤル４が、保持部材８によって基台９，１０間のシャフトに支持されており、かつ、このシャフトを中心に（即ち、図１に示す矢印Ｐで示す方向に）回転可能に取り付けられている。機能選択ダイヤル４の回転量及び回転方向（以下、これらをまとめて機能選択ダイヤル４の回転という）は、保持部材８を介して、ロータリエンコーダ１０で検出され、その検出結果は上記のシャフト内に設けられた配線を介して上ケース２に設けられて演算部に供給される。
【００２１】
また、調整ホイール５には、その回転を検出するためのロータリエンコーダ１２が設けられている。ロータリエンコーダ１２の検出結果は、保持部材８内に設けられた配線やロータリエンコーダ１０に設けられた伝送路，上記のシャフト内に設けられた配線を介して上ケース２に設けられた演算部に供給される。
【００２２】
図４は調整ホイール５の保持機構の一具体例を示す図であって、同図（ａ）は斜視図、同図（ｂ）は同図（ａ）の矢印Ａ方向から見た側面図、同図（ｃ）は同図（ａ）の矢印Ｂ方向から見た上面図、同図（ｄ）は同図（ａ）の矢印Ｃ方向から見た正面図であり、１３は取付部材、１３ａ，１３ｂはアーム、１４はシャフトである。なお、前出図面に対応する部分には同一符号を付けて重複する説明を省略する。
【００２３】
図４（ａ）〜（ｄ）において、保持部材８の端部には、取付部材１３が固定されており、この取付部材１３が、機能選択ダイヤル４（図２）に設けられた貫通穴に差し込まれて固定されている。これにより、保持部材８が機能選択ダイヤル４に固定される。
【００２４】
取付部材１３の保持部材８が取り付けられている面とは反対側の面の水平方向両端部からはアーム１３ａ，１３ｂが突出しており、これらアーム１３ａ，１３ｂ間にシャフト１４が渡されている。このシャフト１４に調整ホイール５が回転可能に取り付けられている。このシャフト１４は調整ホイール５とともに回転し、このシャフト１４の一方の端部側のアーム１３ａにロータリエンコーダ１２が設けられている。このロータリエンコーダ１２はシャフト１４の回転量及び回転方向（以下、これらをまとめて調整ホイール５の回転という）を検出し、これにより、調整ホイール５の回転がロータリエンコーダ１２によって検出される。
【００２５】
図５は図１に示す第１の実施形態での処理システムの一具体例を示すブロック構成図であって、１５は演算部、１６は記憶部、１７は表示部、１８〜２０は入力部である。
【００２６】
同図において、演算部１５はマイクロコンピュータやこのマイクロコンピュータが演算処理のために実行するプログラムが格納されているメモリ，演算処理で用いる各種データなどを一時格納するメモリなどから構成され、各種の演算処理や各部の制御を行なう。記憶部１６には、演算部１５で処理するための各種のデータや画像情報などが格納されている。演算部１５で処理された各種のデータや画像情報は表示部１７に供給され、その液晶画面６（図１）に表示される。
【００２７】
機能選択ダイヤル４の回転のロータリエンコーダ１０（図２）による検出結果は入力部１８から取り込まれ、演算部１５に供給される。また、調整ホイール５の回転のロータリエンコーダ１２（図２）による検出結果は入力部１９から取り込まれ、演算部１５に供給される。演算部１５は、これらの検出結果が供給されると、これらの検出結果に応じたデータや画像情報を記憶部１６から取り込み、これを処理して表示部１７に供給する。さらに、選択ボタン７が操作されると、その操作結果が入力部２０から取り込まれ、演算部１５に供給される。演算部１５は、この操作結果に応じて所定の演算処理を行ない、表示部１７を制御する。
【００２８】
図６は図５における演算部１５の演算処理の一具体例を示すフローチャートである。
【００２９】
同図において、「Ａ：機能ダイヤルの位置変更」の操作、即ち、機能選択ダイヤル４（図１）の回転操作があるときには（ステップ１００）、演算部１５（図５）でロータリエンコーダ１０（図２）の検出結果が取り込まれて、この検出結果からこの機能選択ダイヤル４の新しい位置が検出され（ステップ１０１）、液晶画面６（図１）での表示内容（即ち、ＧＵＩ（Graphic User Interface））が変更される（ステップ１０２）。
【００３０】
また、「Ｂ：調整ホイールの位置変更」の操作、即ち、調整ホイール５の回転操作があるときには（ステップ１０３）、演算部１５（図５）でロータリエンコーダ１２（図２）の検出結果が取り込まれて、この検出結果からこの調整ホイール５の新しい位置が検出され（ステップ１０４）、液晶画面６（図１）での表示内容（即ち、ＧＵＩ）が変更される（ステップ１０２）。
【００３１】
さらに、「Ｃ：選択ボタン押下」の操作、即ち、選択ボタン７（図１）の押し込み操作がなされると（ステップ１０６）、液晶画面６（図１）に表示される画面が遷移する（ステップ１０６）。
【００３２】
なお、以上のＡ〜Ｃの操作がなされないときには、ステップ１００→１０３→１０６→１００の判定処理が繰り返され、図５に示す処理システムは待機状態にある。
【００３３】
図７は本発明による本発明によるダイヤル型操作デバイスの第２の実施形態を示す図であって、同図（ａ）はその全体構成を示す外観斜視図、同図（ｂ）はその側面図であり、図１に対応する部分には同一符号を付けている。
【００３４】
同図において、この第２の実施形態は、上ケース２に調整ホイール５を設けたものである。この第２の実施形態では、図１に示す機能選択ダイヤル４を不要とし、上ケース２と下ケース３とで筐体１を構成している。そして、上ケース２は、下ケース３に対し、図１に示す機能選択ダイヤル４のように回転可能とし（従って、上ケース２は、図１における機能選択ダイヤル４の機能も備えていることになる）、このケース１内に設けられたロータリエンコーダ（図示せず）によって上ケース２の回転が検出される。
【００３５】
これ以外の構成は、図１に示す第１の実施形態と同様であり、従って、図６に示す処理動作においても、ステップ１００〜１０２の処理動作は上ケース２または下ケース３の回転操作に伴って行なわれ、ステップ１０３〜１０５の処理動作は調整ホイール５の回転操作に伴って行なわれる。
【００３６】
なお、上ケース２を手で持って下ケース３を回転させても、下ケース３を手で持って上ケース２を回転させる場合と同様である。但し、これら両者間では、ロータリエンコーダで検出される回転方向は逆になる。
【００３７】
図８は本発明による本発明によるダイヤル型操作デバイスの第３の実施形態を示す図であって、同図（ａ）はその全体構成を示す外観斜視図、同図（ｂ）はその側面図であり、４’は中ケースである。図１に対応する部分には同一符号を付けている。
【００３８】
同図において、この第３の実施形態は、下ケース３に調整ホイール５を設けたものである。この下ケース３と上ケース２とリング状の中ケース４’とで筐体１が形成されているが、この中ケース４’は必ずしも必要がないものである。下ケース３は、上ケース２に対し、図１に示す機能選択ダイヤル４のように回転可能とし（従って、下ケース３は、図１における機能選択ダイヤル４の機能も備えていることになる）、この筐体１内に設けられたロータリエンコーダ（図示せず）によって下ケース３の回転が検出される。勿論、上ケース２を手で持って下ケース３を回転させるようにしてもよいし、下ケース３を手で持って上ケース２を回転させるようにしてもよい。但し、これら両者間では、ロータリエンコーダで検出される回転方向は逆になる。
【００３９】
これ以外の構成は、図１に示す第１の実施形態と同様であり、従って、図６に示す処理動作においても、ステップ１００〜１０２の処理動作は上ケース２または下ケース３の回転操作に伴って行なわれ、ステップ１０３〜１０５の処理動作は調整ホイール５の回転操作に伴って行なわれる。
【００４０】
図９は図７に示す第２の実施形態での回動構成を具体的に示す図であって、２ａは固定部、２ｂは回動部であり、図７に対応する部分には同一符号を付けて重複する説明を省略する。
【００４１】
同図において、上ケース２は、液晶画面６を含む内部側が固定されて固定部２ａをなし、この固定部２ａより外側がこの固定部２ａに対して回動可能な回動部２ｂをなしている。この回動部２ｂに選択ボタン７が設けられている。この回動部２ｂの外縁の所定の位置に、この具体例では、選択ボタン７の近傍の位置に調整ホイール５が回転操作可能に取り付けられている。
【００４２】
ここで、この第２の実施形態の内部構造を図２及び図４を参照して説明すると、調整ホイール５は、図４に示す取付部材１３に取り付けられており、この取付部材１３が、図７（ａ）に示すように、回動部２ｂの上面に取り付けられている。図２や図４に示す保持部材８は用いられない。そして、図２において（この第２の実施形態では、上記のように、保持部材８を備えていないし、また、機能選択ダイヤル４を備えていない）、図８に示す固定部２ａが図示しないシャフトによって下ケース３と連結されており、このシャフトにロータリエンコーダ１０が取り付けられている。このロータリエンコーダは上ケース２の回動部２ｂに設けられているものであって、これにより、上ケース２の下ケース３に対する回動（回動量と回動方向）が検出されるのである。
【００４３】
そこで、図９（ａ）に示すように、矢印Ｓで示す方向から見た場合、ユーザが液晶画面６を正対して見ることになるものとする。かかる状態で、図９（ｂ）に示すように、矢印Ｐで示す方向に上ケースの回動部２ｂを回動させると、これとともに調整ホイール５も回動し、その位置を変える。しかし、上ケース２の固定部２ａは回転しないので、ユーザは液晶画面６をそのまま正対した状態で見ることができる。
【００４４】
図８に示す第３の実施形態の場合も、第２の実施形態の場合と同様であるが、図４に示す取付部材１３が下ケース３の下面側に取り付けられている。この第３の実施形態では、下ケース３を右側の手の平で持ちながらその右手の親指で上ケース２の回動部２ｂ（図９（ａ），（ｂ））を回動操作することになるが、この回動操作とともに選択ボタン７の位置が変わるが、調整ホイール５の位置は変わらない。
【００４５】
なお、以上の第２，第３の実施形態の回動機構の他の具体例として、固定部２ａとして示す部分を液晶部とし、この液晶部２ａを含めた上ケース２全体が下ケース３に対して回転可能とするとともに、内部に設けられた液晶表示装置での水平，垂直偏向部を固定した状態とし、上ケース２全体が回転しても、この水平，垂直偏向部によってこの液晶部に表示される液晶画面６が一定の方向（例えば、図９で矢印Ｓで示す方向）から見て常に正対して表示させるようにすることもできる。
【００４６】
さらにまた、図９（ｃ）に示すように、液晶画面６も含めて上ケース２全体が回転するようにしてもよい。この場合には、液晶画面６に表示されるコンテンツなどの映像が、上ケース２が回転する方向とは逆方向（矢印Ｐで示す方向が上ケース２の回転方向とすると、破線矢印Ｐ’で示す方向）に同じ回転速度で回転するようにする。これにより、上ケース２が回転操作されても、液晶画面６に表示される映像は矢印Ｓで示す同じ方向から正対して見ることができる。
【００４７】
図９（ａ）〜（ｃ）に示すこれらの具体例では、調整ホイール５と選択ボタン７とが上ケース２の回転とともに移動するため、上ケース２の回転後も操作する指などの近傍に選択ボタン７が存在することになり、よりスムーズに操作できる。さらに、選択ボタン７の配置位置が調整ホイール５の近傍であれば、上ケース２〜調整ホイール５〜選択ボタン７の一連の操作を操作する指の近傍で行なえるので、さらに操作が容易となる。
【００４８】
図１０は本発明による本発明によるダイヤル型操作デバイスの第４の実施形態の全体構成を示す外観斜視図であって、図１に対応する部分には同一符号を付けて重複する説明を省略する。
【００４９】
同図において、この第４の実施形態は、調整ホイール５を機能選択ダイヤル４の回転面に垂直な軸を中心に回転可能に構成したするものである。これ以外の構成は図１に示す第１の実施形態と同様である。
【００５０】
図１１は本発明による本発明によるダイヤル型操作デバイスの第５の実施形態の全体構成を示す外観斜視図であって、図１に対応する部分には同一符号を付けて重複する説明を省略する。
【００５１】
同図において、この第５の実施形態は、調整ホイール５を、保持部材８の長手方向（図２）に延長するように設けられたシャフト（図示せず）を中心に回転可能とするものである。これ以外の構成は図１に示す第１の実施形態と同様である。
【００５２】
図１２は本発明による本発明によるダイヤル型操作デバイスの第６の実施形態の全体構成を示す外観斜視図であって、２１はジョイスティックである。図１に対応する部分には同一符号を付けて重複する説明を省略する。
【００５３】
同図において、この第６の実施形態は、機能選択ダイヤル４に、調整ホイール５の代わりに、ジョイステック２１を設けたものである。このジョイスティック２１は、機能選択ダイヤル４の回転面に垂直な方向に操作可能としてもよいし、また、この回転面に平行な方向に操作可能としてもよい。また、これに限らず、任意の１方向に操作可能とすることもできる。
【００５４】
このジョイスティック２１の操作も、先の実施形態での調整ホイール５の回転操作に相当するものであり、図６に示す処理動作では、このジョイスティック２１の操作に伴ってステップ１０３〜１０５の処理動作が行なわれる。
【００５５】
なお、図１０〜図１２では、液晶画面６を省略している。また、これら図１０〜図１２に示す実施形態においても、図７及び図８に示すように、調整ホイール５やジョイスティック２１を上ケース２に設ける構成としてもよいし（この場合には、上ケース２は機能選択ダイヤルの機能も持つ）、下ケース３に設ける構成としてもよい（この場合には、下ケース３は機能選択ダイヤルの機能も持つ）。
【００５６】
また、上記各実施形態では、いずれも選択ボタン７が上ケース２に配置された例であったが、この選択ボタン７は機能選択ダイヤル４上に設けられるようにしてもよい。このような配列とすることにより、選択ボタン７が機能選択ダイヤル４の移動（回動）とともに移動するため、機能選択ダイヤル４の回動後も操作する指などの近傍に選択ボタン７が存在することになり、よりスムーズに操作できる。さらに、選択ボタン７の配置位置が調整ホイール５の近傍であれば、機能選択ダイヤル４〜調整ホイール５〜選択ボタン７の一連の操作を操作する指の近傍で行なえるので、さらに操作が容易となる。
【００５７】
なお、図８に示す第３の実施形態の場合には、下ケース３に選択ボタン７を配置することにより、機能選択ダイヤル４の機能をも備える下ケース３の移動（回動）に伴って、選択ボタン７が移動することになり、同様の効果を得ることができる。
【００５８】
次に、以上の実施形態での操作に伴って液晶画面６に表示される映像について説明する。
【００５９】
図１３はその第１の具体例を示す図であって、２２はメニュー画面、２３はメインメニュー、２４はカーソル、２５はサブメニュー、２６はカーソル、２７はコンテンツ画面であり、前出図面に対応する部分には同一符号を付けて重複する説明を省略する。
【００６０】
同図（ａ）は上記実施形態のダイヤル型操作デバイスの操作手順を示すものであり、同図（ｂ）はかかる操作に伴う液晶画面６での画面の遷移を示すものであって、この第１の具体例は、映像画面の検索ができるようにしたものである。なお、ダイヤル型操作デバイスの操作状態は図１３（ａ−i），（ａ−ii），……，（ａ−v）で指示し、液晶画面６での画面は図１３（ｂ−i），（ｂ−ii），……，（ｂ−v）で指示することになる。これは、図１４以降についても同様である。
【００６１】
いま、ダイヤル型操作デバイスに電源が投入されると、図１３（ｂ−i）に示すように、液晶画面６にメインメニュー２３を表わすメニュー画面２２が表示される。このメインメニュー２３は上から順に３つのメニュー「Music」，「Movies」，「Photo」からなるものとする。このとき、図１３（ａ−i）に示すように、ダイヤル型操作デバイスにおいて、調整ホイール５が上ケース２の右側真横にあるように、機能選択ダイヤル４（図示せず）の状態が設定されているものとすると、図１３（ｂ−i）に示すメニュー画面２２のメインメニュー２３において、中央のメニュー「Movies」が指示され、これにカーソル２４が付されている。そして、機能選択ダイヤル４（図示せず）を、その中心軸を中心に回転させて、調整ホイール５を上ケース２の外縁に沿って移動させることにより、このカーソル２４のメインメニュー２３での位置を変化させることができる。
【００６２】
そこで、いま、図１３（ａ−ii）に示すように、調整ホイール５を上ケース２の外縁に沿って矢印Ｐで示す手前方向に移動させると（以下、この調整ホイール５の移動を調整ホイール５の回動ともいう）、図１３（ｂ−ii）に示すメニュー画面２２では、カーソル２４がメインメニュー２３を下方に移動し、メニュー「Photo」を指示することになる。かかる状態で選択ボタン７を押し込み操作すると（図１３（ａ−iii）はこの状態を示している）、メニュー画面２２では、図１３（ｂ−iii）に示すように、メニュー「Photo」が決定されることになり、このメニュー「Photo」のサブメニュー２５がこのメニュー「Photo」の表示位置の脇に表示される。このサブメニュー２５は上から順に２つのメニュー「Shoot」，「Adjust」からなるものとし、その１つが指定される。ここでは、最初のメニュー「Shoot」が指定されているものとし、この指定されたメニュー「Shoot」にカーソル２６が付される。
【００６３】
サブメニュー２５でのメニューの指定は、調整ホイール５の回転操作（例えば、図４におけるシャフト１２を中心に回転させること）によって切り替えることができる。そこで、図１３（ａ−iv）に示すように、この調整ホイール５を矢印Ｑで示すように回転操作すると、図１３（ｂ−iv）に示すように、メニュー画面２２でのサブメニュー２５でカーソル２６が次のメニュー「Adjust」に移り、これが指定されることになる。そして、かかる状態で選択ボタン７を押し込み操作すると（図１３（ａ−v）はこの状態を示している）、メニュー画面２２では、このメニュー「Adjust」が決定されることになり、図１３（ｂ−v）に示すように、このメニュー「Adjust」に対するコンテンツ画面２７（例えば、映像画面）が表示されることになる。
【００６４】
このように、この第１の具体例では、機能選択ダイヤル４の回転操作により、メインメニューの選択を、また、調整ホイール５の回転操作により、この選択されたメインメニューに対するサブメニューの選択を夫々行なうことができ、メインメニューの選択機能を持つ機能選択ダイヤル４とサブメニューの選択機能を持つ調整ホイール５とを手元で簡単に操作できるものであるから、簡単な操作でもって所望のコンテンツの検索をすることが可能となる。
【００６５】
なお、図１３（ｂ−v）の示すコンテンツ画面２７が表示された状態で調整ホイール５を回転操作することにより、サブメニュー２５での他のメニューのコンテンツに直接切り替えることができる。また、このようなコンテンツが表示された状態で選択ボタン７を押し込み操作すると、あるいは機能選択ダイヤル４（図示せず）を回転操作すると（即ち、調整ホイール５を上ケース２の外縁に沿って移動させる（回動させる）と）、図１３（ｂ−i），（ｂ−ii）に示すようなメインメニュー２３のみが表示されたメニュー画面２２に戻る。
【００６６】
また、この操作に伴う画面遷移の第１の具体例では、ダイヤル型操作デバイスを図１１に示す第５の実施形態としたが、先の他の実施形態でも同様である。
【００６７】
図１４は本発明によるダイヤル型操作デバイスの操作に伴って液晶画面６に表示される映像の第２の具体例を示す図であって、２２ａはメニュー画面、２８ａ，２８ｂ，２８ｃは識別文字、２９ａ，２９ｂ，２９ｃはサブメニュー、３０，３１はカーソル、３２はコンテンツであり、前出図面に対応する部分には同一符号を付けて重複する説明を省略する。
【００６８】
この第２の具体例も映像画面の検索に関するものであるが、ここでは、メニューをアルファベットの頭文字で区分し、これら頭文字の群をメインメニューとし、このメインメニューに展開されるメニュー群をサブメニューとするものである。そして、このメインメニューでの頭文字を識別文字ということする。
【００６９】
この第２の具体例において、電源が投入されると、液晶画面６には、図１４（ｂ−i）に示すように、メインメニューを構成する識別文字２８ａ，２８ｂ，２８ｃ，……毎にサブメニュー２９ａ，２９ｂ，２９ｃ，……が展開されたメニュー画面２２ａが表示される。ここでは、メニューは国名で展開されているものとする。
【００７０】
かかるメニュー画面２２ａでは、識別文字２８ａ，２８ｂ，２８ｃ，……の１つ、例えば、識別文字「Ｂ」２８ｂが指定されているものとしており、これにカーソル３０が付されている。このように指定される識別文字は上ケース２に対する調整ホイール５の位置関係に応じて決まるものであり、図１４（ｂ−i）に示す表示状態では、図１４（ａ−１）に示すように、調整ホイール５の位置が上ケース２の右側真横にあるものとする。
【００７１】
そこで、いま、図１４（ａ−ii）に示すように、調整ホイール５を上ケース２の外縁に沿って矢印Ｐで示す手前方向に移動させると（即ち、調整ホイール５を矢印Ｐで示す方向に回動操作すると）、図１４（ｂ−ii）に示すメニュー画面２２ａでは、カーソル３０が識別文字を順に指定するように下方に移動し、図１４（ｂ−２）に示すように、識別文字「Ｃ」２８ｃを指定させることができる。かかる状態で選択ボタン７を押し込み操作すると（図１４（ａ−iii）はこの状態を示している）、メニュー画面２２ａでは、図１４（ｂ−iii）に示すように、この識別文字「Ｃ」２８ｃの指定がが決定されることになり、この識別文字「Ｃ」２８ｃのサブメニュー２９ｃの１つのメニュー、この場合には、最初のメニュー「CAMBODIA」が指定され、これにカーソル３１が付される。
【００７２】
サブメニュー２９ｃでのメニューの指定は（他のサブメニューについても同様であるが）、調整ホイール５の回転操作によって切り替えることができる。そこで、図１４（ａ−iv）に示すように、この調整ホイール５を矢印Ｑで示すように回転操作すると、図１４（ｂ−iv）に示すように、サブメニュー２９ｃでカーソル３１が次のメニューに順に移っていき、他のメニュー、例えば、メニュー「CANADA」が指定されることになる。そして、かかる状態で選択ボタン７を押し込み操作すると（図１４（ａ−v）はこの状態を示している）、メニュー画面２２ａでは、この識別文字「Ｃ」２８ｃのサブメニュー２９ｃでのメニュー「CANADA」が決定されることになり、図１４（ｂ−v）に示すように、このメニュー「CANADA」に対するコンテンツ３２、例えば、カナダの地図が表示されることになる。
【００７３】
このように、この第２の具体例では、機能選択ダイヤル４の回転操作によって識別文字の選択を、また、調整ホイール５の回転操作によって選択された識別文字で区分されるサブメニューの選択を夫々行なうことができ、識別文字の選択機能を持つ機能選択ダイヤル４とサブメニューの選択機能を持つ調整ホイール５とを手元で簡単に操作できるものであるから、簡単な操作でもって所望のコンテンツの検索をすることが可能となる。
【００７４】
なお、図１４（ｂ−v）の示すコンテンツ３２が表示された状態で調整ホイール５を回転操作することにより、サブメニュー２９ｃでの他のメニューのコンテンツに直接切り替えることができる。また、このようなコンテンツが表示された状態で選択ボタン７を押し込み操作すると、あるいは機能選択ダイヤル４（図示せず）を回転操作すると（即ち、調整ホイール５を上ケース２の外縁に沿って移動させると）、図１４（ｂ−i），（ｂ−ii）に示すようなメニュー画面２２ａに戻る。
【００７５】
また、この操作に伴う画面遷移の第２の具体例では、ダイヤル型操作デバイスを図１１に示す第５の実施形態としたが、先の他の実施形態でも同様である。
【００７６】
図１５は本発明によるダイヤル型操作デバイスの操作に伴って液晶画面６に表示される映像の第３の具体例を示す図であって、３３はコンテンツであり、前出図面に対応する部分には同一符号を付けて重複する説明を省略する。
【００７７】
この第３の具体例は、液晶画面６に表示される映像のスクロールやズーミングができるようにしたものである。なお、この第３の具体例では、ダイヤル型操作デバイスは図１１に示す第５の実施形態とするが、先の他の実施形態でも同様である。
【００７８】
この第３の具体例では、電源が投入されると、図１５（ｂ）に示すように、液晶画面６にコンテンツ３３が表示されるものであるが、また、図１３に示す第１の具体例で得られるコンテンツ画面２７（図１３（ｂ−v））が表示された状態からこの第３の具体例の操作が行なわれるものであってもよい。
【００７９】
図１５（ａ−i）に示すように、調整ホイール５が上ケース２のほぼ右側真横にあるときには、この調整ホイール５を回転操作することにより、液晶画面６に表示されるコンテンツ３３（例えば、映像）は上下方向にスクロールする。図１５（ｂ−i）はコンテンツ３３が上方向にスクロールされた状態を示し、この状態で調整ホイール５を逆方向に回転操作すると、下方向にスクロールし、図１５（ｂ−ii）に示すように、コンテンツ３３を見易い位置で表示させることができる。
【００８０】
図１５（ａ−i）に示す状態から調整ホイール５を上ケース２の外縁に沿って矢印Ｐで示す右廻り方向に回動させ、図１５（ａ−ii）に示すように、ほぼ４５゜回動した状態にして（この間、液晶画面６でのコンテンツ３３の表示状態は変化しない）、図１５（ａ−iii）に示すように、調整ホイール５を矢印Ｑで示す回転操作すると、液晶画面６では、映像のズーミング表示が行なわれ、図１５（ｂ−ii）に示す表示状態から図１５（ｂ−iii）に示す表示状態に移ってコンテンツ３３が拡大表示されるようになる。この場合の拡大率は、調整ホイール５の回転量に応じたものであり、回転量が大きいほどコンテンツ３３は大きく拡大されることになる。また、これとは逆方向に調整ホイール５を回転操作すると、その回転量に応じてコンテンツ３３は縮小されていく。
【００８１】
また、ダイヤル型操作デバイスの図１５（ａ−iii）に示す状態から調整ホイール５を上ケース２の外縁に沿って矢印Ｐで示す右廻り方向にさらにほぼ４５゜回動させ、図１５（ａ−iv）に示すように、調整ホイール５が上ケース２のほぼ下側にある状態にして（この回転動作中では、液晶画面６での映像の表示状態は変化せず、図１５（ｂ−vi）は図１５（ｂ−iii）と同じ表示状態である）、図１５（ａ−v）に示すように、調整ホイール５を矢印Ｑで示す回転操作すると、液晶画面６では、図１５（ｂ−vi）に示すように、コンテンツ３３が左右方向にスクロールする。このスクロールによる移動量も調整ホイール５の回転量に応じたものであり、また、調整ホイール５の回転方向を逆にすると、コンテンツ３３のスクロール方向も逆となる。
【００８２】
このように、この第３の具体例では、機能選択ダイヤル４の回転量（従って、調整ホイール５の上ケース２の外縁に沿う回動量）に応じて、調整ホイール５の機能が液晶画面６でのコンテンツ３３の上下スクロール機能←→ズーミング機能←→左右スクロール機能と切り替えられるものであり、かかる映像の表示状態の変更操作を手元で簡単に行なうことができる。
【００８３】
図１６は本発明によるダイヤル型操作デバイスの操作に伴って液晶画面６に表示される映像の第４の具体例を示す図であり、３４はコンテンツであり、前出図面に対応する部分には同一符号を付けて重複する説明を省略する。
【００８４】
この第４の具体例は、液晶画面６に表示されるコンテンツを任意の方向にスクロールできるようにしたものである。
【００８５】
この第４の具体例では、電源が投入されると、図１６（ｂ）に示すように、液晶画面６にコンテンツ３４が表示されるものであるが、また、図１４に示す第１の具体例で得られるコンテンツ画面２７（図１４（ｂ−v））が表示された状態からこの第４の具体例の操作が行なわれるものであってもよい。
【００８６】
いま、電源が投入されることにより、図１６（ｂ−i）に示すように、液晶画面６の中央部にコンテンツ３４（ここでは、地図とする）が表示されており、また、このとき、図１６（ａ−i）に示すように、調整ホイール５が上ケース２のほぼ右側真横に位置付けられているものとする。かかる状態で調整ホイール５（即ち、図示しない機能選択ダイヤル４）を回転操作すると（図１６（ａ−ii））、図１６（ｂ−ii）に示すように、液晶画面６に表示されるコンテンツ３４（例えば、映像）は矢印Ｖで示す上下方向にスクロールする。ここでは、下方向にスクロールした場合を示すが、また、調整ホイール５を逆方向に回転操作すると、下方向にスクロールする。
【００８７】
図１６（ａ−ii）に示す状態から調整ホイール５を上ケース２の外縁に沿って矢印Ｐで示す右廻り方向に回動させて、例えば、ほぼ４５゜回動させた図１６（ａ−iii）に示す状態とし（この間、液晶画面６でのコンテンツ３４の表示位置は変化せず、図１６（ｂ−ii）と同じ図１６（ｂ−iii）に示す表示状態にある）、図１６（ａ−iv）に示すように、調整ホイール５を矢印Ｑで示す回転操作すると、液晶画面６では、その回転量に応じてコンテンツ３４が矢印Ｔで示す斜め方向にスクロールする。ここでは、斜め下方向にスクロールしたものとするが、これとは逆方向に調整ホイール５を回転操作すると、その回転量に応じてコンテンツ３４は斜め上方向にスクロールする。
【００８８】
また、図１６（ａ−iv）に示す状態から調整ホイール５を上ケース２の外縁に沿って矢印Ｐで示す右廻り方向（図１６（ａ−iii））にほぼ４５゜回動させて図１６（ａ−v）に示す状態とし（この間、液晶画面６でのコンテンツ３４の表示位置は変化しない）、この調整ホイール５を矢印Ｑで示す回転操作すると、液晶画面６では、図１６（ｂ−v）に示すように、コンテンツ３４が矢印Ｈで示す左右方向にスクロールする。このスクロールによる移動量も調整ホイール５の回転量に応じたものであり、また、調整ホイール５の回転方向を逆にすると、コンテンツ３４のスクロール方向も逆となる。
【００８９】
なお、図示しないが、図１６（ａ−i）に示す状態から調整ホイール５を上ケース２の外縁に沿って矢印Ｐとは逆の左廻り方向にほぼ４５゜回動させることもでき、この状態で調整ホイール５を回転操作すると、図１６（ｂ−iv）に示す矢印Ｔに垂直な方向にコンテンツ３４をスクロールさせることができる。
【００９０】
また、ここでは、調整ホイール５が上ケース２の周りでの特定の位置にあるときの調整ホイール５の操作について説明したが、調整ホイール５は上ケース２の周りの図１６（ａ−i）に示す位置から左廻り方向にほぼ４５゜回動した位置をＰ（−４５゜）とし、同じく右廻り方向にほぼ９０度回動した位置をＰ（＋９０度）とすると、位置Ｐ（−４５゜）から位置Ｐ（＋９０度）までの任意の位置に移動させることができ、この任意の位置で調整ホイール５を回転操作することができる。そして、このように調整ホイール５を回転操作したときには、液晶画面６では、この調整ホイール５の位置に応じた方向にコンテンツ３４がスクロールする。このスクロールの方向は、調整ホイール５の回転操作による回転方向Ｑに平行な方向である。
【００９１】
このように、この第４の実施形態では、ダイヤル型操作デバイスの手元での簡単な操作により、液晶画面６に表示されるコンテンツ３４を任意の方向にスクロールさせることができる。また、回転操作の方向とスクロールの方向とが平行であるので、操作方法が直感的に理解し易く、操作性と視認性とを向上させることができる。
【００９２】
また、この操作に伴う画面遷移の第４の具体例では、ダイヤル型操作デバイスは図１１に示す第５の実施形態としたが、先の他の実施形態でも同様である。
【００９３】
図１７は本発明によるダイヤル型操作デバイスの操作に伴って液晶画面６に表示される映像の第５の具体例を示す図であって、３５は文字入力画面、３６は表示エリア、３７は種別項目、３８，３９はカーソル、４０は入力表示エリア、４１ａ，４１ｂは入力種であり、前出図面に対応する部分には同一符号を付けて重複する説明を省略する。
【００９４】
この第５の具体例は、液晶画面６で文字入力ができるようにしたものである。
【００９５】
電源が投入されると、液晶画面６に図１７（ｂ−i）に示す文字入力画面３５が表示される。この文字入力画面３５では、その中央部に円形状の表示エリア３６が形成されており、この表示エリア３６の周りに文字や記号の種類を表わす種別項目３７が設けられている。ここでは、数字の種別項目３７を数字の「１」で表示し、小文字のアルファベットの種別項目３７を「ａ」で表示し、大文字のアルファベットの種別項目３７を「Ａ」で表示し、その他の記号などの種別項目３７を「＠」で表示しているものとする。
【００９６】
これら種別項目３７のいずれか１つがカーソル３８で指定されており、このカーソル３８は機能選択ダイヤル４の回転操作により、従って、調整ホイール５の回動操作により、移動させることができ、指定する種別項目３７を変更することができる。
【００９７】
また、表示エリア３６の外周部には、指定された種別項目３７に対する文字列や記号列などの入力種４１が配列されて表示される。表示エリア３６の中央部には、この入力種４１で選択された文字や記号などが、入力情報として、表示される入力表示エリア４０が設けられている。
【００９８】
なお、ここでは、ダイヤル型操作デバイスとして、調整ホイール５の操作から見て、図１０に示す第４の実施形態を例に説明するが、必ずしもこれに限るものではない。
【００９９】
いま、図１７（ａ−i）に示すように、調整ホイール５が上ケース２の右側真横にあるものとすると、液晶画面６に表示される文字入力画面３５では、図１７（ｂ−i）に示すように、種別項目３７のうちの表示エリア３６の右側真横にある数字「１」の種別項目３７がカーソル３８によって指定されている。即ち、この文字入力画面３５では、表示エリア３６がダイヤル型操作デバイスでの上ケース２に対応され、表示エリア３６に対する各種別項目３７の位置が上ケース２に対する調整ホイール５の位置に対応付けられている。
【０１００】
そして、数字「１」で示す種別項目３７がカーソル３８によって指定されているときには、この数字「１」で示す種別項目３７に対する入力種４１ａ、即ち、１，２，３，……，９，０の数字が表示エリア３６の外周に配列されて表示されており、そのいずれか１つがカーソル３９によって指定されている。このカーソル３９は、調整ホイール５の回転に応じて、この入力種（数字の配列）４１ａに沿って移動し、選択する数字を変えることができる。
【０１０１】
図１７（ａ）で示す状態で、大文字のアルファベット「Ａ」を入力する場合には、図１７（ａ−ii）に示すように、調整ホイール５を矢印Ｐで示す方向に回動操作して、図１７（ｂ−ii）に示すように、カーソル３８を文字「Ａ」で示す種別項目３７に一致させ、これを指定する。これとともに、この種別項目３７に対する入力種４１ｂ、即ち、アルファベットＡ，Ｂ，Ｃ，……，Ｙ，Ｚが表示エリア３６の外周に配列されて表示され、そのうちの１つがカーソル３９によって指定されている。
【０１０２】
ここで、カーソル３９がアルファベット「Ａ」を指定しているものとすると、図１７（ａ−iii）に示すように、選択ボタン７を押し込み操作（矢印で示す）することにより、この指定されるアルファベット「Ａ」の入力が決定し、入力表示エリア４０にアルファベット「Ａ」が表示される。
【０１０３】
次に、アルファベット「Ｈ」を入力したい場合には、図１７（ａ−iv）に示すように、調整ホイール５を回転操作することにより、図１７（ｂ−iv）に示すように、カーソル３９を入力種４１ｂのアルファベット「Ｈ」に一致させて指定する。そして、図１７（ａ−v）に示すように、選択ボタン７を押し込み操作することにより（矢印で示す）、このアルファベット「Ｈ」の入力が決定され、入力表示エリア４０にアルファベット「Ｈ」が表示される。
【０１０４】
このようにして、文字「Ａ」で示す種別項目３７がカーソル３８で指定されている限り、調整ホイール５と選択ボタン７との操作により、大文字のアルファベットを順次入力することができる。
【０１０５】
他の種別項目３７についても同様であり、調整ホイール５を回動操作することによって所望とする種別項目３７を指定することができ、その指定された種別項目３７での希望する入力種４１を調整ホイール５の回転操作と選択ボタン７の押し込み操作とによって順次入力することができる。
【０１０６】
この第５の具体例では、調整ホイール５の回動操作によってカーソル３９が表示エリア３６の外縁に沿って移動するが、図１０に示す第４の実施形態では、調整ホイール５の回転方向がカーソル３９の表示エリア３６での移動（回動）方向に対応することになり、このため、この第５の具体例でのダイヤル型操作デバイスをこの第４の実施形態とした場合には、カーソル３９を所定の入力種に合わせるための調整ホイール５の回転操作が感覚的にし易いものとなる。
【０１０７】
図１８は本発明によるダイヤル型操作デバイスの操作に伴って液晶画面に表示される映像の第６の具体例を示す図であって、４２はメニュー画面、４３はメインメニュー、４４はサブメニュー、４５はコンテンツ表示画面であり、前出図面に対応する部分には同一符号を付けて重複する説明を省略する。
【０１０８】
なお、ここでは、ダイヤル型操作デバイスを図１１示す第５の実施形態とするが、勿論他の実施形態であってもよい。
【０１０９】
ダイヤル型操作デバイスに電源が投入されると、図１８（ｂ−i）に示すように、液晶画面６に複数のメインメニュー４３がリング状に配列されて表示されるメニュー画面４２が表示される。そして、これらメインメニュー４３の１つが指定されており、指定されたメインメニュー４３はこのリング状の配列からその内側に付けている。このメインメニュー４３の指定は、上ケース２に対する調整ホイール５の位置に応じたものであり、図１８（ａ−i）に示すように、ダイヤル型操作デバイスにおいて、調整ホイール５が上ケース２の右側真横にあるときには、この位置関係に対応して、メニュー画面４２では、図１８（ｂ−i）に示すように、右側真横の位置のメインメニュー４３が指定されることになる。
【０１１０】
かかる状態で、図１８（ａ−ii）に示すように、機能選択ダイヤル４（図示せず）を回転操作して調整ホイール５を上ケース２の外縁に沿って矢印Ｐで示す方向に移動させると、メインメニュー４３がその配列順に指定され、図１８（ｂ−ii）に示すように、希望する所定のメインメニュー４３ａを指定することができる。
【０１１１】
そこで、かかる状態で、図１８（ａ−iii）に示すように、選択ボタン７を押し込み操作すると（矢印で示す）、図１８（ｂ−iii）に示すように、リング状の配列からその内側にずらされたメインメニュー４３ａの後に、この指定されているメインメニュー４３ａに対するサブメニュー４４がリング状に表示される。かかるサブメニュー４４も、そのいずれか１つが指定されてこのサブメニュー４４の配列から内側にずれており、図１８（ａ−iv）に示すように、調整ホイール５を回転操作することにより、指定されるサブメニュー４４を順次切り替えることができる。そして、図１８（ｂ−iv）に示すように、所望とするサブメニュー４４ａを指定した状態で、図１８（ａ−v）に示すように、選択ボタン７を押し込み操作すると、この指定されているサブメニュー４４ａが決定され、そのコンテンツが表示エリア４５に表示される。
【０１１２】
このように、この第６の具体例においても、機能選択ダイヤル４の回転操作によりメインメニュー４３の選択を、また、調整ホイール５の回転操作によって選択を夫々行なうことができ、メインメニューの選択機能を持つ機能選択ダイヤル４とサブメニューの選択機能を持つ調整ホイール５とを手元で簡単に操作できるものであるから、簡単な操作でもって所望のコンテンツの検索をすることが可能となる。
【０１１３】
なお、図１８（ｂ−v）の示すコンテンツが表示された状態で調整ホイール５を回転操作することにより、他のサブメニュー４４が指定された状態になるが、このときには、コンテンツが表示されず、この指定されたサブメニュー４４のコンテンツを表示させるためには、選択ボタン７の押し込み操作を行なう。また、図１８（ｂ−v）の示すコンテンツが表示された状態で調整ホイール５を回転操作すると、図１８（ａ）や（ｂ）に示すメインメニュー４３のみが表示される状態に戻る。
【０１１４】
図１９は本発明によるダイヤル型操作デバイスの操作に伴って液晶画面に表示される映像の第７の具体例を示す図であって、４６はコンテンツ表示エリア、４７は地図、４８ａ〜４８ｃは指定場所（あるいは指定地域）、４９ａ〜４９ｃは指定マークであり、前出図面に対応する部分には同一符号を付けて重複する説明を省略する。
【０１１５】
なお、ここでは、ダイヤル型操作デバイスを図１１に示す第５の実施形態とするが、勿論他の実施形態であってもよい。
【０１１６】
ダイヤル型操作デバイスに電源が投入されると、図１９（ｂ−i）に示すように、液晶画面６に、コンテンツとして地図４７を表わす円形状のコンテンツ表示エリア４６が表示される。この第７の具体例は、このように表示された地図４７での予め決められた場所や地域（これらを、以下、指定場所という）の詳細情報を提供できるようにしたものである。
【０１１７】
図１９（ｂ−i）に示す地図４７では、指定場所（１）４８ａと指定場所（２）４８ｂと指定場所（３）２８ｃとの３か所の指定場所について詳細情報を提供できるように決められているものとすると、これらの指定場所２８ａ〜２８ｃ毎に指定マーク２９ａ〜２９ｃが設けられている。これら指定マーク２９ａ〜２９ｃは夫々コンテンツ表示エリア４６の外縁部での該当する指定場所に近い位置に表示されており、指定マーク４９ａが指定場所（１）２８ａに最も近い位置に表示されて、この指定場所（１）２８ａに対するマークであることが容易に分かるようにしており、指定マーク４９ｂが指定場所（２）２８ｂに最も近い位置に表示されて、この指定場所（２）２８ｂに対するマークであることが容易に分かるようにしており、指定マーク４９ｃが指定場所（３）２８ｃに最も近い位置に表示されて、この指定場所（３）２８ｃに対するマークであることが容易に分かるようにしている。
【０１１８】
これら指定マーク２９ａ〜２９ｃの選択は、ダイヤル型操作デバイスの調整ホイール５の回動操作（機能選択ダイヤル４の回転操作）によって行なうことができる。また、上ケース２の外縁での調整ホイール５の位置はコンテンツ表示エリア４６の外周上の位置に対応している。即ち、上ケース２の外縁での右横の位置はコンテンツ表示エリア４６の外周上の右横の位置に対応し、上ケース２の外縁での上，下，左横の位置はコンテンツ表示エリア４６の外周上の上，下，左横の位置に対応する。
【０１１９】
そこで、いま、図１９（ａ−i）に示すように、調整ホイール５が上ケース２の外縁の右側真横にあるときには、図１９（ｂ−i）に示すコンテンツ表示エリア４６では、その外周の右側真横が選択されていることになり、これには指定マークがないから、地図４７での指定場所２８ａ〜２８ｃはいずれも選択されていないことになる。
【０１２０】
いま、指定場所（３）２８ｃを選択するものとすると、図１９（ａ−ii）に示すように、上ケース２の外縁に沿って矢印Ｐで示す方向に調整ホイール５を回動させる。これにより、コンテンツ表示エリア４６の外周上の選択位置が順次移動し、希望する指定場所（３）２８ｃに対する指定マーク２９ｃにこの選択位置が達すると、図１９（ｂ−ii）に示すように、この指定マーク２９ａが、例えば、大きくかつ白黒反転の表示に遷移し、選択されたことが明示される。
【０１２１】
そして、図１９（ａ−iii）に示すように、選択ボタン７が押し込み操作されると（矢印で示す）、この選択が決定され、図１９（ｂ−iii）に示すように、選択された指定場所（３）２８ｃがコンテンツ表示エリア４６の中心に位置するように、地図４７が縮尺率を一定にして移動する。しかる後、図１９（ａ−iv）に示すように、調整ホイール５を、矢印Ｑで示すように、回転操作すると、コンテンツ表示エリア４６に表示される地図４７の縮尺率が回転操作とともに小さく変化して拡大表示されるようになる。但し、この拡大も、コンテンツ表示エリア４６の中心を中心としてに拡大していく。このため、この選択された指定場所（３）２８ｃの表示位置は変わらない。
【０１２２】
このように、指定場所（３）２８ｃが拡大表示された状態で、あるいは、図１９（ｂ−iv）に示す拡大前の表示状態で、図１９（ａ−v）に示すように、選択ボタン７を押し込み操作すると（矢印で示す）、図１９（ｂ−v）に示すように、この指定場所（３）２８ｃに関する詳細情報５０が文章やマーク，記号などで表示される。これにより、指定場所（３）２８ｃの詳細を知ることができる。
【０１２３】
なお、他の指定場所２８ａ，２８ｂなどについても同様である。また、図１９（ｂ−iv），（ｂ−v）で示す表示状態で調整ホイール５の回動操作（機能選択ダイヤル４の回転操作）を行なうと、選択場所がこの指定場所（３）２８ｃからはずれるので、かかる表示状態が終了する。
【０１２４】
このようにして、ダイヤル型操作デバイスの手元での簡単な操作により、地図上での所定の場所や地域の詳細を知ることができる。
【０１２５】
図２０は本発明によるダイヤル型操作デバイスの操作に伴って液晶画面に表示される映像の第８の具体例を示す図であって、４６はコンテンツ表示エリア、４７は地図、４８ａ〜４８ｃは指定場所（あるいは指定地域）、４９ａ〜４９ｃは指定マークであり、前出図面に対応する部分には同一符号を付けて重複する説明を省略する。
【０１２６】
なお、この第７の具体例は、ダイヤル型操作デバイスをビデオカメラに適用し、液晶画面６をそのファインダとして利用するものである。ここでは、ダイヤル型操作デバイスを図１に示す第１の実施形態とするが、勿論他の実施形態であってもよい。
【０１２７】
ダイヤル型操作デバイスが図示しないビデオカメラ（このビデオカメラが携帯電話などの携帯機器に取り付けられているものでもよい）に取り付けられており、その液晶画面６がファインダ６ａとして利用される。
【０１２８】
この第７の具体例では、このビデオカメラに電源が投入されると、図２０（ｂ−i）に示すように、ファインダ６ａに撮影画面５０が表示される。このような撮影画面５０の映像やこのビデオカメラの記録媒体（図示せず）に記録されている映像に対し、ダイヤル型操作デバイスを操作することにより、種々の処理を行なうことができる。かかる処理の機能は、機能選択ダイヤル４、従って、調整ホイール５の回動操作により、切り替えることができ、この調整ホイール５の回転操作により、設定された機能による処理を行なうことができるようにしている。
【０１２９】
図２０（ａ−i）に示すように、調整ホイール５が上ケース２の右側真横にあるときには、この調整ホイール５はフォーカス調整の機能が割り当てられる。そこで、調整ホイール５をこの位置に設定し、回転操作すると、ファインダ６ａで図２０（ｂ−i）に示すようにピントずれがある撮影画面５０がフォーカス調整され、ピントのあった撮影画面が得られるようになる。
【０１３０】
また、図２０（ｂ−ii）はビデオカメラの内蔵の記録媒体から読み出した映像５１をファインダ６ａに表示された状態を示すものであるが、かかる状態で、図２０（ａ−ii）に示すように、調整ホイール５を上ケース２の斜め右下位置に移動させ、図２０（ａ−iii）に示すように、調整ホイール５を矢印Ｑに示す方向に回転操作すると、図２０（ｂ−iii）に示すように、この映像５１を変形させるなどの編集を行なうことができるし、また、同様に、図２０（ｂ−iv）に示すように、ビデオカメラの内蔵の記録媒体から読み出した映像５１をファインダ６ａに表示された状態にあるとき、調整ホイール５を上ケース２の真下の位置に移動させ、図２０（ａ−v）に示すように、調整ホイール５を矢印Ｑに示す方向に回転操作すると、図２０（ｂ−v）に示すように、この映像５１の輪郭を強調するなどの編集を行なうこともできる。
【０１３１】
なお、ここでは、撮影映像のフォーカス調整や記録映像の変形，輪郭強調について説明したが、調整ホイール５の上ケース２に対する位置関係に応じてさらに多くの機能が付加されるようにすることができる。
【０１３２】
このように、撮影映像のフォーカス調整や記録映像の編集を可能とするものであって、簡単な操作により、このような機能を実行可能とする。
【０１３３】
図２１は本発明によるダイヤル型操作デバイスの操作に伴って液晶画面に表示される映像の第９の具体例を示す図であって、図１７に対応する部分には同一符号を付けて重複する説明を省略する。
【０１３４】
この第９の具体例は、図９（ｃ）に示すダイヤル型操作デバイスの具体例を用いて図１７に示す具体例と同様の映像の表示を行なうものである。
【０１３５】
図２１（ａ）に示すように、図１７（ａ）に示す第５の具体例と同様の調整ホイール５の回動操作を行なうことにより、図２１（ｂ）に示すように、図１７（ｂ）に示す第５の具体例と同様の映像表示が行なわれて文字入力ができるが、この第９の具体例では、この調整ホイール５の回動操作は上ケース２全体の回転を伴うものであるから、この上ケース２の回転とともに液晶画面６も回転する。しかし、図９（ｃ）で説明したように、この液晶画面６の回転とともに、この液晶画面６に表示される画面がこの回転とは逆方向に回転して表示されるから、常に予め決まった一定の方向（図９（ｃ）での矢印Ｓで示す方向）から見て正対した状態で表示されることになる。
【０１３６】
この第９の具体例では、上ケース２の回転とともに、調整ホイール５と選択ボタン７とが一定の位置関係を保って移動するため、調整ホイール５を回動操作することによって上ケース２を回転させた場合、上ケース２の回転後も操作する指などの近傍に選択ボタン７が存在することになり、よりスムーズに操作できる。さらに、選択ボタン７の配置位置が調整ホイール５の近傍であれば、上ケース２〜調整ホイール５〜選択ボタン７の一連の操作を操作する指の近傍で行なえるので、さらに操作が容易となる。
【図面の簡単な説明】
【０１３７】
【図１】本発明によるダイヤル型操作デバイスの第１の実施形態を示す図である。
【図２】図１に示す第１の実施形態の分解斜視図である。
【図３】図１に示す第１の実施形態の縦断面図である。
【図４】図２に示す調整ホイールの保持機構の一具体例を示す図である。
【図５】図１に示す第１の実施形態での処理システムの一具体例を示すブロック構成図である。
【図６】図５における演算部の演算処理の一具体例を示すフローチャートである。
【図７】本発明によるダイヤル型操作デバイスの第２の実施形態を示す図である。
【図８】本発明によるダイヤル型操作デバイスの第３の実施形態を示す図である。
【図９】図７，図８に示す実施形態での回動構成を具体的に示す図である。
【図１０】本発明によるダイヤル型操作デバイスの第４の実施形態を示す外観斜視図である。
【図１１】本発明によるダイヤル型操作デバイスの第５の実施形態を示す外観斜視図である。
【図１２】本発明によるダイヤル型操作デバイスの第６の実施形態を示す外観斜視図である。
【図１３】本発明によるダイヤル型操作デバイスの操作に伴って液晶画面に表示される映像の第１の具体例を示す図である。
【図１４】本発明によるダイヤル型操作デバイスの操作に伴って液晶画面に表示される映像の第２の具体例を示す図である。
【図１５】本発明によるダイヤル型操作デバイスの操作に伴って液晶画面に表示される映像の第３の具体例を示す図である。
【図１６】本発明によるダイヤル型操作デバイスの操作に伴って液晶画面に表示される映像の第４の具体例を示す図である。
【図１７】本発明によるダイヤル型操作デバイスの操作に伴って液晶画面に表示される映像の第５の具体例を示す図である。
【図１８】本発明によるダイヤル型操作デバイスの操作に伴って液晶画面に表示される映像の第６の具体例を示す図である。
【図１９】本発明によるダイヤル型操作デバイスの操作に伴って液晶画面に表示される映像の第７の具体例を示す図である。
【図２０】本発明によるダイヤル型操作デバイスの操作に伴って液晶画面に表示される映像の第８の具体例を示す図である。
【図２１】本発明によるダイヤル型操作デバイスの操作に伴って液晶画面に表示される映像の第９の具体例を示す図である。
【符号の説明】
【０１３８】
１  筐体
２  上ケース
２ａ  固定部
２ｂ  回動部
３  下ケース
４  機能選択ダイヤル
５  調整ホイール
６  液晶画面
７  選択ボタン
８  保持部材
９  基台
１０  ロータリエンコーダ
１１  基台
１２  ロータリエンコーダ
１３  取付部材
１３ａ，１３ｂ  アーム
１４  シャフト
２１  ジョイスティック
２２  メニュー画面
２３  メインメニュー
２４  カーソル
２５  サブメニュー
２６  カーソル
２７  コンテンツ画面
２２ａ  メニュー画面
２８ａ，２８ｂ，２８ｃ  識別文字
２９ａ，２９ｂ，２９ｃ  サブメニュー
３０，３１  カーソル
３２〜３４  コンテンツ
３５  文字入力画面
３６  表示エリア
３７  種別項目
３８，３９  カーソル
４０  入力表示エリア
４１ａ，４１ｂ  入力種
４２  メニュー画面
４３  メインメニュー
４４  サブメニュー
４５  コンテンツ表示画面
４６  コンテンツ表示エリア
４７  地図
４８ａ〜４８ｃ  指定場所（あるいは指定地域）
４９ａ〜４９ｃ  指定マーク
４６  コンテンツ表示エリア
４７  地図
４８ａ〜４８ｃ  指定場所（あるいは指定地域）
４９ａ〜４９ｃ  指定マーク
【図１】
2006099618.tif 000003
【図２】
2006099618.tif 000004
【図３】
2006099618.tif 000005
【図４】
2006099618.tif 000006
【図５】
2006099618.tif 000007
【図６】
2006099618.tif 000008
【図７】
2006099618.tif 000009
【図８】
2006099618.tif 000010
【図９】
2006099618.tif 000011
【図１０】
2006099618.tif 000012
【図１１】
2006099618.tif 000013
【図１２】
2006099618.tif 000014
【図１３】
2006099618.tif 000015
【図１４】
2006099618.tif 000016
【図１５】
2006099618.tif 000017
【図１６】
2006099618.tif 000018
【図１７】
2006099618.tif 000019
【図１８】
2006099618.tif 000020
【図１９】
2006099618.tif 000021
【図２０】
2006099618.tif 000022
【図２１】
2006099618.tif 000023